(57)【要約】【課題】  映像表示デバイス上にユーザの好みの画質で映像を表示するためには、現在のユーザに応じて個別の画質パラメータ設定が必要となる。しかしながら、例えば初めて利用する映像表示デバイスの場合、ユーザはその機器の操作に慣れておらず、好適と感じる画質パラメータを設定するのに時間を要す。【解決手段】  映像表示デバイスから異なる映像表示デバイスに映像データを送信して表示する場合に、同時に画質パラメータ情報を送信しこれを受信した映像表示デバイスが該画質パラメータ情報を反映した映像を出力する。【選択図】  図１
2014003510.tif 000002
【特許請求の範囲】
【請求項１】
映像データを外部装置に送信する映像データ送信手段と、
前記映像データの表示に用いる画質パラメータを取得する画質パラメータ取得手段と、
前記画質パラメータ取得手段によって取得された画質パラメータから、外部装置において用いる画質パラメータ情報を生成する画質パラメータ生成手段と、
前記画質パラメータ生成手段によって生成された画質パラメータ情報を前記外部装置に送信する画質パラメータ送信手段と
を備えることを特徴とする映像送信装置。
【請求項２】
前記画質パラメータ生成手段は、画質パラメータの基準値を保持し、当該基準値および前記画質パラメータ取得手段によって取得された画質パラメータから、外部装置において用いる画質パラメータ情報を生成することを特徴とする請求項１に記載の映像送信表示装置。
【請求項３】
前記画質パラメータは複数の種別からなり、当該画質パラメータは夫々、基準値を有することを特徴とする請求項２に記載の映像送信装置。
【請求項４】
前記画質パラメータ生成手段は、前記基準値に基づいて前記画質パラメータの適用値を生成することを特徴とする請求項２に記載の映像送信装置。
【請求項５】
前記パラメータの適用値は、前記基準値からの増減を示す割合で示されることを特徴とする請求項４に記載の映像送信装置。
【請求項６】
前記パラメータの適用値ＶＧＳｃｏｍｍｏｎは、前記画質パラメータ取得手段によって取得された画質パラメータをＶＧＳ、前記基準値をＶＧＳＢａｓｅ、画質パラメータの設定可能な最大値をＶｍａｘ、画質パラメータの設定可能な最小値をＶｍｉｎとした場合に、
ＶＧＳｃｏｍｍｏｎ＝（ＶＧＳ―ＶＧＳＢａｓｅ）／（Ｖｍａｘ−Ｖｍｉｎ）＊１００
で表されることを特徴とする請求項４に記載の映像送信装置。
【請求項７】
映像データを外部装置から受信する映像データ受信手段と、
前記映像データ受信手段によって受信された映像データを表示するための画質パラメータ情報を受信する画質パラメータ受信手段と、
前記画質パラメータ受信手段によって受信された画質パラメータ情報から、前記映像データを表示するための画質パラメータを生成する画質パラメータ生成手段と、
画質パラメータ生成手段によって生成された画質パラメータを用いて、前記映像データを表示する映像表示手段と、
を備えることを特徴とする映像表示装置。
【請求項８】
前記画質パラメータ生成手段は、前記画質パラメータ受信手段によって受信された画質パラメータ情報と、前記映像データの画質パラメータの基準値とに基づいて、当該映像データを表示するための画質パラメータを生成することを特徴とする請求項７に記載の映像表示装置。
【請求項９】
前記画質パラメータは複数の種別からなり、当該画質パラメータは夫々、基準値を有することを特徴とする請求項８に記載の映像表示装置。
【請求項１０】
前記画質パラメータ情報は、前記基準値に基づいて生成された画質パラメータの適用値であることを特徴とする請求項８に記載の映像表示装置。
【請求項１１】
前記パラメータの適用値は、前記基準値からの増減を示す割合で示されることを特徴とする請求項１０に記載の映像表示装置。
【請求項１２】
前記画質パラメータ生成手段は、前記画質パラメータ情報を用いるか否かを決定することを特徴とする請求項７記載の映像表示装置。
【請求項１３】
映像データを外部装置に送信する映像送信手段における映像送信方法であって、
前記映像データを外部装置に送信する映像データ送信工程と、
前記映像データの表示に用いる画質パラメータを取得する画質パラメータ取得工程と、
前記画質パラメータ取得工程によって取得された画質パラメータから、外部装置において用いる画質パラメータ情報を生成する画質パラメータ生成工程と、
前記画質パラメータ生成工程によって生成された画質パラメータ情報を前記外部装置に送信する画質パラメータ送信工程と
を備えることを特徴とする映像送信方法。
【請求項１４】
映像データを表示する映像表示装置における映像表示方法であって、
映像データを外部装置から受信する映像データ受信工程と、
前記映像データ受信工程によって受信された映像データを表示するための画質パラメータ情報を受信する画質パラメータ受信工程と、
前記画質パラメータ受信工程によって受信された画質パラメータ情報から、前記映像データを表示するための画質パラメータを生成する画質パラメータ生成工程と、
画質パラメータ生成工程によって生成された画質パラメータを用いて、前記映像データを映像表示手段に表示する映像表示工程と、
を備えることを特徴とする映像表示方法。
【請求項１５】
コンピュータが読み出して実行することにより、前記コンピュータを、請求項１に記載の映像送信装置として機能させることを特徴とするプログラム。
【請求項１６】
コンピュータが読み出して実行することにより、前記コンピュータを、請求項７に記載の映像表示装置として機能させることを特徴とするプログラム。
【発明の詳細な説明】
【技術分野】
【０００１】
本願発明は映像表示装置に関し、特に画質を好適に調整した映像を出力する技術に関する。
【背景技術】
【０００２】
近年、テレビに代表される映像表示装置の高画質化が進んでいる。映像表示装置の画質は、色相・明度・彩度や輪郭の強調度合いなど、出力映像に影響を与えるさまざまなパラメータ（以下、これを画質パラメータと称す）の組み合わせによって決定される。これらの画質パラメータは、製品の出荷段階にて一旦は最適に設定されているものの、その後ユーザによって直接変更可能な場合が多い。ユーザは、表示画面上に重畳されるオンスクリーンディスプレイ（ＯＳＤ）やリモコン操作によって画質パラメータを調整することにより、好みの画質で映像を視聴することが可能となる。
【０００３】
一方、映像表示装置に入力されスクリーンや壁面に投射される、もしくはパネルに表示される映像データの種類も多岐にわたる。映像表示装置はＨＤＭＩ・ＳＤＩ・ＤｉｓｐｌａｙＰｏｒｔなど複数の映像データ入力のためのインタフェースを備え、また、ＬＡＮを介してインターネットから取り込まれる映像データも多様な特徴を持つ。ここで、映像データはそれぞれに好適な画質パラメータ設定が存在し、それに加えユーザ毎に好適と感じる画質パラメータ設定も異なる。
【０００４】
特定の映像表示装置上にユーザの好みの画質で映像を表示するためには、現在のユーザに応じて個別の画質パラメータ設定が必要となる。しかしながら、例えば初めて利用する映像表示装置の場合、ユーザはその機器の操作に慣れておらず、好適と感じる画質パラメータを設定するのに時間を要す。このユーザ毎の画質パラメータの設定を簡略化するために、ユーザの声を検出し、あらかじめ登録されている声情報を元にユーザを特定し、同じくあらかじめ登録されているユーザ毎の画質設定の設定値に基づいて画質パラメータ設定を行う方法がある（特許文献１）。
【先行技術文献】
【特許文献】
【０００５】
【特許文献１】特開２０１０−１２４３９１号公報
【発明の概要】
【発明が解決しようとする課題】
【０００６】
しかしながら、例えば会議室などの共用スペースに設置される映像表示装置は、不特定多数のユーザに利用されるため、あらかじめユーザ情報を登録することや、ユーザ毎の画質設定の設定値を保持することが困難である。その一方で、近年はスマートフォンやタブレットＰＣなど特定ユーザが占有する映像表示装置が増加しており、これらの個人所有の映像表示装置には、ユーザの好みを反映した画質パラメータ設定がなされている場合が多い。特に、個人所有の映像表示装置から共用の映像表示装置に映像データを送信して表示する場合には、該映像データに対してユーザが好適と感じる画質パラメータ設定が個人持ちの映像表示装置側に存在することが多い。そこで、個人持ちの映像表示装置側での画質パラメータ設定を共用の映像表示装置側に反映できれば、ユーザや映像データに応じた画質パラメータを共用の映像表示装置側に簡易に設定・出力映像に反映可能となる。
【０００７】
したがって、本願発明は上述した課題を解決するためになされたものであり、ユーザが改めて画質パラメータを設定せずに、映像データを受信した映像表示デバイスで画質パラメータを反映した映像データを表示可能にすることを目的とする。
【課題を解決するための手段】
【０００８】
上述の問題点を解決するため、本発明の映像送信装置は以下の構成を有する。すなわち、映像データを外部装置に送信する映像データ送信手段と、前記映像データの表示に用いる画質パラメータを取得する画質パラメータ取得手段と、前記画質パラメータ取得手段によって取得された画質パラメータから、外部装置において用いる画質パラメータ情報を生成する画質パラメータ生成手段と、前記画質パラメータ生成手段によって生成された画質パラメータ情報を前記外部装置に送信する画質パラメータ送信手段とを備える。
【０００９】
更に、本発明の映像表示装置は以下の構成を有する。すなわち、映像データを外部装置から受信する映像データ受信手段と、前記映像データ受信手段によって受信された映像データを表示するための画質パラメータ情報を受信する画質パラメータ受信手段と、前記画質パラメータ受信手段によって受信された画質パラメータ情報から、前記映像データを表示するための画質パラメータを生成する画質パラメータ生成手段と、画質パラメータ生成手段によって生成された画質パラメータを用いて、前記映像データを表示する映像表示手段とを備える。
【発明の効果】
【００１０】
映像送信装置から映像表示装置に映像データを送信して表示する場合に、同時に画質パラメータ情報を送信しこれを受信した映像表示装置が該画質パラメータ情報を反映した映像を出力する。これにより、ユーザが改めて画質パラメータを設定せずに、映像データを受信した映像表示装置で画質パラメータを反映した映像データが表示可能となる。
【図面の簡単な説明】
【００１１】
【図１】本願発明を実現する映像表示装置及び映像送信装置の構成を示すブロック図
【図２】実施形態１に関る映像送信装置の処理を表すフローチャート
【図３】実施形態１に関る画質パラメータの設定情報を記憶する処理の詳細を表すフローチャート
【図４】実施形態１に関る画質パラメータの設定情報の保持例
【図５】実施形態１に関る映像データと画質パラメータの設定情報を送信する処理の詳細を表すフローチャート
【図６】実施形態１に関る画質パラメータの最大値・最小値情報の保持例
【図７】実施形態１に関る送信する画質パラメータ情報の保持例
【図８】実施形態１に関る送信する画質パラメータ情報の送信形態の一例
【図９】実施形態１に関る映像表示装置の処理を表すフローチャート
【図１０】実施形態１に関る画質パラメータ情報を反映するか否かを設定するダイアログの一例
【図１１】実施形態１に関る画質パラメータを反映する処理の詳細を表すフローチャート
【図１２】実施形態１に関る映像表示装置の画質パラメータの最大値・最小値・基準値情報の保持例
【図１３】実施形態１に関る映像表示装置に適用する画質パラメータの保持例
【図１４】実施形態２に関る画質パラメータを反映する処理の詳細を表すフローチャート
【図１５】本願発明の映像表示装置、映像送信装置に適用可能なコンピュータのハードウェア構成例を示すブロック図
【発明を実施するための形態】
【００１２】
＜実施形態１＞
以下、本願発明の第１の実施形態について図面およびフローチャートを用いて説明する。ただし、本願発明の技術的範囲がこの実施形態に限定されるものではない。
【００１３】
図１は本願発明における映像表示装置及び映像送信装置の実施形態の構成を示すブロック図である。図中、１００は映像表示装置であり、映像データを受け付け表示する。例えば、プロジェクタ、ディスプレイ、テレビなどがこれに相当する。１０１は映像データ受信部であり、映像表示装置１００の外部、例えば、映像送信装置１１０より映像データを受け付ける。映像データを受け付けるためのインタフェースとしては、例えばＨＤＭＩ、ＳＤＩ、ＤｉｓｐｌａｙＰｏｒｔなどの汎用の入力インタフェースや、ネットワークに接続されたＬＡＮなどが想定される。１０２は映像表示部であり、映像データ受信部１０１にて受け付けた映像データをユーザに表示する。表示する映像データは静止画像・動画像のいずれであっても良いし、ユーザによって早送り、一時停止、などの操作ができても良い。１０３は画質パラメータ受信部であり、映像データ受信部１０１によって受け付けた映像データに設定する画質パラメータを受け付ける。画質パラメータには、例えば色相・明度・彩度といった色の基本属性のほか、シャープネス・ノイズ除去といった映像の視認性を向上するためのパラメータが含まれる。１０４は画質パラメータ反映部であり、画質パラメータ受信部１０３で受け付けた画質パラメータを、映像データ受信部１０１によって受け付け映像表示部１０２に表示する映像データに反映する。
【００１４】
１１０は映像送信装置であり、映像表示装置１００に対して映像データを送信する。１１１は映像データ送信部であり、映像送信装置１１０が保持する映像データを外部、例えば、映像表示装置１００に対して送信する。映像データを送信するためのインタフェースは、例えば映像データ受信部１０１と対の構成を取る。１１２は画質パラメータ設定部であり、映像送信装置１１０が保持する映像データに対して、ユーザが画質パラメータを設定する。または画質パラメータ取得をする。画質パラメータの設定のための入力部としては、例えばキーボード、マウス、ディジタイザ、タッチパネル、ジョイスティックなどの多様な操作機器が想定されるが、本実施形態ではこれらの入力部の配置を限定しない。１１３は画質パラメータ生成部であり、画質パラメータ設定部１１２によって設定された画質パラメータをもとに画質パラメータ生成し記憶する。１１４は画質パラメータ送信部であり、映像データ送信部１１１が送信する映像データに応じて画質パラメータ生成部１１３によって生成された画質パラメータ設定情報を外部、例えば映像表示装置１００に送信する。これにより、画質パラメータ生成部１１３により生成された画質パラメータは、外部装置、例えば映像表示装置１００において用いられる。ここで、映像送信装置１１０には映像表示部が含まれていても良く、例えばユーザが携帯するスマートフォンやタブレットＰＣなどがこれに想定される。
【００１５】
図２は、本願発明の第１の実施形態における映像送信装置１１０の処理を示すフローチャートである。なお、以下では映像送信装置１１０の例として、各ユーザが個人所有の、いわゆるスマートフォンのような多機能携帯端末（情報端末）を想定する。
【００１６】
Ｓ２０１では、以降のＳ２０２からＳ２０７までの処理を、システムが起動している間くり返す。Ｓ２０２において、映像送信装置１１０はユーザ操作を受け付ける。入力部としては、多機能携帯端末の例ではキーボード、タッチパネルなどが想定されるが、本実施形態ではこれらの入力部の配置を限定しない。ここで受け付けるユーザ操作は、対象とする映像データの切り替えなど多様である。Ｓ２０３において、映像送信装置１１０は、Ｓ２０２で受け付けたユーザ操作が画質パラメータの設定か否かを判定する。ここで、もし画質パラメータの設定であると判定した場合にはＳ２０４の処理に進み、画質パラメータの設定でないと判定した場合にはＳ２０５の処理に進む。Ｓ２０４において、画質パラメータ生成部１１３は画質パラメータの設定情報を記憶する。この処理の詳細については図３を用いて後述する。
【００１７】
Ｓ２０５において、映像送信装置１１０はＳ２０２で受け付けたユーザ操作が映像データの送信操作か否かを判定する。ここで、もし映像データの送信操作であると判定した場合にはＳ２０６の処理に進み、映像データの送信操作でないと判定した場合にはＳ２０７の処理に流れ繰り返り動作を継続する。Ｓ２０６において、映像送信装置１１０は映像データと画質パラメータの設定情報を送信する。この処理の詳細については図５を用いて後述する。
【００１８】
図３は、本願発明の第１の実施形態における画質パラメータ生成部１１３が画質パラメータ設定情報を記憶する処理の詳細を示すフローチャートであり、図２のＳ２０４に対応する。
【００１９】
図中、Ｓ３０１では、画質パラメータ設定部１１２によって画質パラメータが設定された対象の映像データＳを決定する。多機能携帯端末のように表示部を持つ映像送信装置の場合は、画質パラメータが設定された対象は現在表示中の映像であるとして映像データＳを決定してよい。また、画面を分割するなどして複数の映像データを１画面に表示可能な映像送信装置の場合は、フォーカスしている画面を特定することで画質パラメータを反映する映像データＳを決定してよい。さらに、画質パラメータを反映する範囲が指定可能な映像送信装置の場合は、画質パラメータを反映する範囲内に表示される映像データを対象の映像データＳとしても良い。いずれにせよ、どの映像データに対する画質パラメータの設定であるかを特定し、映像データＳを決定する。
【００２０】
Ｓ３０２では、Ｓ３０１によって映像データＳが決定されたか否かを判定する。ここで、もし映像データＳが特定されたと判定した場合はＳ３０３の処理に流れ、映像データＳが特定されなかったと判定された場合は画質パラメータの設定情報を記憶する処理を終了する。Ｓ３０３では、Ｓ２０３のユーザ操作で受け付けた画質パラメータ種別Ｇを取得する。Ｓ３０４では、映像データＳに対する画質パラメータ種別Ｇの画質パラメータＶが既に記憶済みか否かを判定する。ここで、もし既に記憶済みであると判定した場合にはＳ３０６の処理に流れ、記憶していないと判定した場合にはＳ３０５の処理に流れる。
【００２１】
Ｓ３０５では、ユーザ操作反映前の画質パラメータＶを映像データＳに対する画質パラメータ種別Ｇの画質パラメータ設定基準値ＶＧＳＢａｓｅとする。これにより、該当する映像データＳに対して設定する以前に設定された画質パラメータの情報を画質パラメータ生成部１１３内に保持する。Ｓ３０６では、ユーザ操作反映後の画質パラメータＶを映像データＳに対する画質パラメータ種別Ｇの設定値ＶＧＳとする。
【００２２】
図４は、図３に示す画質パラメータ設定情報を記憶する処理を実施した結果として、画質パラメータ生成部１１３に蓄積される画質パラメータの一例を示している。図中、４００は映像データＳに対して画質パラメータ生成部１１３に蓄積される画質パラメータを表している。
【００２３】
列４０１は、画質パラメータ種別Ｇを表している。ここでは、例えば色相・明度・彩度といった色の基本属性のほか、シャープネス・ノイズ除去といった映像の視認性を向上するためのパラメータが挙げられる。ここで、画質パラメータ種別Ｇの名称は、映像送信装置１１０固有の名称から、より汎用的な表現に変換して蓄積しても良い。列４０２は、画質パラメータの設定値ＶＧＳであり、Ｓ３０６を実行した結果として画質パラメータ生成部１１３に蓄積される。列４０３は、画質パラメータ設定基準値ＶＧＳＢａｓｅであり、Ｓ３０５を実行した結果として画質パラメータ生成部１１３に蓄積される。例えば行４０４の例では、色相＿赤という画質パラメータ種別Ｇに対して、画質パラメータの設定値ＶＧＳとして５５、画質パラメータ設定基準値ＶＧＳＢａｓｅとして５０が保持されている。なお、ここで画質パラメータ種別として例示する色相＿赤とは、色相を赤・緑・青といった単色で調整可能とした画質パラメータ種別であり、近年の映像表示装置で多用されている画質パラメータである。
【００２４】
図５は、映像データと画質パラメータ設定情報を送信する画質パラメータ送信部１１４の処理の詳細を示すフローチャートであり、これは図２のＳ２０６に対応する。図中、Ｓ５０１では、以降のＳ５０２からＳ５０６までの処理を、画質パラメータ種別Ｇの数だけくり返す。ここでのくり返し数は、画質パラメータ生成部１１３に蓄積される映像データＳに対する画質パラメータ４００の行数に相当する。
【００２５】
Ｓ５０２では、新たな画質パラメータ種別Ｇを選択する。ここでは、行４０４に相当する“色相＿赤”が選択されたとして以降の処理を説明する。Ｓ５０３では、映像データＳに対する画質パラメータ種別Ｇの画質パラメータＶが記憶されているか否かを判定する。ここで、もし既に記憶済みであると判定した場合にはＳ５０３の処理に進み、Ｓに対するＧの画質パラメータＶが記憶されていないと判定した場合にはＳ５０５の処理に進む。Ｓ５０４では、映像データＳに対する画質パラメータ種別Ｇの画質パラメータ設定基準値ＶＧＳＢａｓｅおよび設定値ＶＧＳを取り出す。列４０１の例では、ＶＧＳＢａｓｅとして５０が、ＶＧＳとして５５が取り出される。Ｓ５０５では、映像データＳに対する画質パラメータ種別Ｇの適用値ＶＧＳｃｏｍｍｏｎを算出し、記憶する。ここでのＶＧＳｃｏｍｍｏｎの算出結果としては、例えば画質パラメータ設定基準値ＶＧＳＢａｓｅに対する差分を百分率で表現しても良い。すなわち基準値からの増減を示す割合を表現する。より具体的には、図６に示すように、各画質パラメータ種別Ｇに対する映像送信装置上で設定可能な最小値および最大値を保持しておき、設定可能な最大値もしくは最小値に対する設定の割合を算出する。一例として、映像データＳに対する画質パラメータ種別Ｇの適用値ＶＧＳｃｏｍｍｏｎが、映像データＳに対する画質パラメータ種別の設定値ＶＧＳに対して線形に算出するとした式は以下のように示される。
【００２６】
ＶＧＳｃｏｍｍｏｎ＝（ＶＧＳ―ＶＧＳＢａｓｅ）／（Ｖｍａｘ−Ｖｍｉｎ）＊１００・・・（ａ）
ここで、例えば、上記式に代替可能な式を別途定義しても良いし、画質パラメータ毎に非線形なテーブル値を保持し、これを利用しても良い。図７に、図４に示す各画質パラメータの設定値に対して式（ａ）を適用した結果として算出した画質パラメータの適用値ＶＧＳｃｏｍｍｏｎを示す。ここで、例えば行４０５に示すシャープネスのように、画質パラメータの設定値ＶＧＳが画質パラメータの基準値ＶＧＳＢａｓｅと一致する、すなわちユーザによる変更がない場合は、該画質パラメータ種別に係る情報を削除しても良い。
【００２７】
Ｓ５０７では、画質パラメータの適用値ＶＧＳｃｏｍｍｏｎが１回以上算出されたか否かを判定する。ここで、もし１回以上算出されたと判定した場合にはＳ５０８の処理に進み、１回も算出されていないと判定した場合にはＳ５０９の処理に進む。Ｓ５０８では、画質パラメータの適用値ＶＧＳｃｏｍｍｏｎを画質パラメータ設定情報として画質パラメータ受信部１０３に送信し、且つ映像データＳを映像データ受信部１０１に送信する。ここで、送信の方法としては、ＬＡＮを用いたネットワーク経由の送信、ＨＤＭＩ‐ＣＥＣなどの入出力規格に準じた送信、映像データのヘッダ情報として送信、およびその他の部での送信が考えられる。また、画質パラメータ設定情報の反映部の異なる一例として、映像送信装置１１０内で画質パラメータ設定情報を映像データに反映し、その後、映像表示装置１００に画質パラメータ情報を反映済みの映像データとして送信する方法も考えられる。
【００２８】
図８に、映像データの送信方法の一例として、ＨＴＭＬ形式での情報伝達例を示す。図中、８００は伝達すべきＨＴＭＬ式全体を表す。行８０１は、画質パラメータ種別Ｇを特定する。行８０２は、行８０１で特定した画質パラメータ種別Ｇに対する画質パラメータ設定情報である。Ｓ５０８では、画質パラメータの適用値ＶＧＳｃｏｍｍｏｎが算出されなかったとして映像データＳのみを映像表示装置１００に送信する。
【００２９】
図９は、本願発明の第１の実施形態における映像表示装置１００の処理を示すフローチャートである。なお、以下では映像表示装置１００の例として、プロジェクタを想定する。
【００３０】
Ｓ９０１において、映像表示装置１００は映像データと画質パラメータ設定情報を受信する。ここで受信する映像データはＳ２０６で映像データ送信部１１１によって送信された映像データＳであり、画質パラメータ設定情報はＳ２０６で画質パラメータ送信部１１４によって送信された画質パラメータの適用値ＶＧＳｃｏｍｍｏｎである。
【００３１】
Ｓ９０２では、画質パラメータ設定情報が含まれているかを判定する。ここで、もし画質パラメータ設定情報が含まれていると判定した場合にはＳ９０３の処理に進み、画質パラメータ設定情報が含まれていないと判定した場合にはＳ９０５の処理に進む。Ｓ９０３では、画質パラメータ設定情報を反映するかを判定する。ここで、もし画質パラメータ設定情報を反映すると判定した場合にはＳ９０４の処理に進み、画質パラメータ設定情報を反映しないと判定した場合にはＳ９０５の処理に進む。ここで当該判定処理Ｓ９０３は省略可能であり、その場合はＳ９０４の処理に進む。また、Ｓ９０３の判定を映像表示装置１００にあらかじめ設定された条件を用いて実施しても良いし、図１０に示す画質設定反映ダイアログを映像表示装置１００の表示画面上に表示し、ユーザによる判断を受け付けても良い。図１０の例では、行１００１の「反映する」表示が選択されているため、Ｓ９０４の処理に進む。
【００３２】
Ｓ９０４において、画質パラメータ反映部１０４は画質パラメータを反映する。Ｓ９０５では、映像データを表示する。
【００３３】
図１１は、本願発明の第１の実施形態における画質パラメータ反映部１０４が画質パラメータ設定情報を反映する処理の詳細を示すフローチャートであり、これは図９のＳ９０４に対応する。図中、Ｓ１１０１では、以降のＳ１１０２からＳ１１０６までの処理を、送信された画質パラメータ種別の数Ｇだけくり返す。
【００３４】
Ｓ１１０２では、新たな画質パラメータ種別Ｇを選択する。Ｓ１１０３では、画質パラメータ種別Ｇに相当する映像表示装置上の画質パラメータＧｄを特定する。ここでは、例えば文字列比較を実施することによって映像表示装置上の画質パラメータ種別Ｇｄと送信された画質パラメータ種別Ｇの対応付けを実施する。Ｓ１１０４では、映像表示装置上の画質パラメータ種別Ｇｄが特定されたかを判定する。ここで、もし映像表示装置上の画質パラメータ種別Ｇｄが特定されたと判定した場合にはＳ１１０５の処理に進み、映像表示装置上の画質パラメータ種別Ｇｄが特定されていないと判定した場合にはＳ１１０６の処理に進み、くり返し処理を継続する。
【００３５】
Ｓ１１０５では、送信された画質パラメータＧの適用値ＶＧＳｃｏｍｍｏｎを映像表示装置上の画質パラメータ種別Ｇｄの設定に反映する。反映方法としては、例えば、映像表示装置上の各画質パラメータ種別Ｇｄに対する、映像表示装置上の最小値および最大値を保持しておき、ＶＧＳｃｏｍｍｏｎを前記最小値および最大値の範囲内の値にマッピングする。一例として、画質パラメータ種別Ｇの適用値ＶＧＳｃｏｍｍｏｎを、前記最小値および最大値の範囲内で線形に反映するとした式を以下に示す。
【００３６】
ＶＧＳｔａｒｇｅｔ＝Ｖｂａｓｅ＋（ＶＧＳｃｏｍｍｏｎ）＊（Ｖｍａｘ−Ｖｍｉｎ）／２００・・・（ｂ）
図１２に、式（ｂ）を適用するために画質パラメータ反映部１０４に保持される映像表示装置１００の情報の一例を示す。また図１３に式（ｂ）を適用することによって算出されたＶＧＳｔａｒｇｅｔの値を示す。行１２０１に示される画質パラメータの最小値Ｖ−２０・最大値２０・基準値０を用いることにより、行１３０１に示される色相＿赤の適用値２が算出される。
【００３７】
以上によって本実施形態における映像送信表示装置によれば、映像送信装置１１０で設定された画質パラメータ情報を映像表示装置１００に送信する。これにより、映像表示装置１００が有するリモコンや設定パネルによって画質を設定することなく、映像送信装置と同様の画質設定で映像データを表示可能となる。
【００３８】
＜実施形態２＞
以下、本願発明の第２の実施形態について、第１の実施形態との差異を中心に説明する。ただし、本願発明の技術的範囲がこの実施形態に限定されるものではない。
【００３９】
図１４は、本発明の第２の実施形態における画質パラメータ反映部１０４が画質パラメータの設定情報を反映する処理の詳細を示すフローチャートであり、これは図９のＳ９０４に対応する。図中、Ｓ１４０１では、以降のＳ１４０２からＳ１４０７までの処理を、映像表示装置の持つ画質パラメータ種別Ｇｄの数だけくり返す。Ｓ１４０２では、新たな画質パラメータ種別Ｇｄを選択する。Ｓ１４０３では、画質パラメータ種別Ｇｄに対する映像表示装置１００上の画像処理を実施する。映像表示装置は、それぞれ固有の画像処理がある。プロジェクタの例では、多くの映像表示デバイスに共通の画像処理に加え、壁色に合わせて色相を変化させる・環境光に合わせて明度を変化させるなどする。また、その結果は、画質パラメータ反映部１０４に画質パラメータ反映基準値ＶｂａｃｅＥｘとして保持する。
【００４０】
Ｓ１４０４では、映像表示装置１００上の画質パラメータ種別Ｇｄに相当する送信された画質パラメータＧを特定する。ここでは、例えば文字列比較を実施することによって映像表示装置上の画質パラメータ種別Ｇｄと、送信された画質パラメータ種別Ｇを特定する。Ｓ１４０５では、画質パラメータ種別Ｇが特定されたかを判定する。ここで、もし画質パラメータ種別Ｇが特定されたと判定した場合にはＳ１４０６の処理に進み、画質パラメータ種別Ｇが特定されていないと判定した場合にはＳ１４０７の処理に進み、くり返し処理を継続する。
【００４１】
Ｓ１４０６では、送信された画質パラメータの適用値ＶＧＳｃｏｍｍｏｎを画質パラメータ種別Ｇｄの設定に反映する。反映方法としては、例えば、各画質パラメータ種別Ｇ対する、映像表示装置の最小値および最大値を保持しておき、ＶＧＳｃｏｍｍｏｎをこの範囲でパラメータを変化させた場合の値にマッピングする。その際、基本とする値にＳ１４０３にて画質パラメータ反映部１０４に保持したＶｂａｃｅＥｘを用いる。線形に算出した式は以下のように示される。
【００４２】
ＶＧＳｔａｒｇｅｔ＝ＶｂａｃｅＥｘ＋（ＶＧＳｃｏｍｍｏｎ）＊（Ｖｍａｘ−Ｖｍｉｎ）／２００・・・（ｃ）
以上によって本実施形態における映像送信表示装置によれば、映像送信装置１１０で設定された画質パラメータ情報を映像表示装置１００に送信する。これにより、映像表示装置１００が有するリモコンや設定パネルによって画質を設定することなく、映像表示装置側の画質設定に映像送信装置側で設定された画質パラメータを反映した形で映像データを表示可能となる。
【００４３】
＜実施形態３＞
図１に示した各処理部はハードウェアでもって構成しているものとして上記実施形態では説明した。しかし、図１に示した各処理部で行なう処理をコンピュータプログラムでもって構成しても良い。（映像表示手段を除く。）
図１５は、上記各実施形態に係る映像表示装置及び映像送信装置に適用可能なコンピュータのハードウェアの構成例を示すブロック図である。
【００４４】
ＣＰＵ１５０１は、ＲＡＭ１５０２やＲＯＭ１５０３に格納されているコンピュータプログラムやデータを用いてコンピュータ全体の制御を行うと共に、上記各実施形態に係る画像処理装置が行うものとして上述した各処理を実行する。即ち、ＣＰＵ１５０１は、図１に示した各処理部として機能することになる。
【００４５】
ＲＡＭ１５０２は、外部記憶装置１５０６からロードされたコンピュータプログラムやデータ、Ｉ／Ｆ（インタフェース）１５０９を介して外部から取得したデータなどを一時的に記憶するためのエリアを有する。更に、ＲＡＭ１５０２は、ＣＰＵ１５０１が各種の処理を実行する際に用いるワークエリアを有する。即ち、ＲＡＭ１５０２は、例えば、フレームメモリとして割当てたり、その他の各種のエリアを適宜提供することができる。
【００４６】
ＲＯＭ１５０３には、本コンピュータの設定データや、ブートプログラムなどが格納されている。操作部１５０４は、キーボードやマウスなどにより構成されており、本コンピュータのユーザが操作することで、各種の指示をＣＰＵ１５０１に対して入力することができる。
【００４７】
外部記憶装置１５０６は、ハードディスクドライブ装置に代表される、大容量情報記憶装置である。外部記憶装置１５０６には、ＯＳ（オペレーティングシステム）や、図１に示した各部の機能をＣＰＵ１５０１に実現させるためのコンピュータプログラムが保存されている。更には、外部記憶装置１５０６には、処理対象としての各画像データが保存されていても良い。
【００４８】
外部記憶装置１５０６に保存されているコンピュータプログラムやデータは、ＣＰＵ１５０１による制御に従って適宜ＲＡＭ１５０２にロードされ、ＣＰＵ１５０１による処理対象となる。Ｉ／Ｆ１５０７には、ＬＡＮやインターネット等のネットワーク、他の機器を接続することができ、本コンピュータはこのＩ／Ｆ１５０７を介して様々な情報を取得したり、送出したりすることができる。１５０８は上述の各部を繋ぐバスである。
【００４９】
上述の構成からなる作動は前述のフローチャートで説明した作動をＣＰＵ１５０１が中心となってその制御を行う。
【００５０】
＜その他の実施形態＞
本願発明の目的は、前述した機能を実現するコンピュータプログラムのコードを記録した記憶媒体を、システムに供給し、そのシステムがコンピュータプログラムのコードを読み出し実行することによっても達成される。この場合、記憶媒体から読み出されたコンピュータプログラムのコード自体が前述した実施形態の機能を実現し、そのコンピュータプログラムのコードを記憶した記憶媒体は本願発明を構成する。また、そのプログラムのコードの指示に基づき、コンピュータ上で稼働しているオペレーティングシステム（ＯＳ）などが実際の処理の一部または全部を行い、その処理によって前述した機能が実現される場合も含まれる。
【００５１】
さらに、以下の形態で実現しても構わない。すなわち、記憶媒体から読み出されたコンピュータプログラムコードを、コンピュータに挿入された機能拡張カードやコンピュータに接続された機能拡張ユニットに備わるメモリに書込む。そして、そのコンピュータプログラムのコードの指示に基づき、その機能拡張カードや機能拡張ユニットに備わるＣＰＵなどが実際の処理の一部または全部を行って、前述した機能が実現される場合も含まれる。
【００５２】
本願発明を上記記憶媒体に適用する場合、その記憶媒体には、先に説明したフローチャートに対応するコンピュータプログラムのコードが格納されることになる。
【図１】
2014003510.tif 000003
【図２】
2014003510.tif 000004
【図３】
2014003510.tif 000005
【図４】
2014003510.tif 000006
【図５】
2014003510.tif 000007
【図６】
2014003510.tif 000008
【図７】
2014003510.tif 000009
【図８】
2014003510.tif 000010
【図９】
2014003510.tif 000011
【図１０】
2014003510.tif 000012
【図１１】
2014003510.tif 000013
【図１２】
2014003510.tif 000014
【図１３】
2014003510.tif 000015
【図１４】
2014003510.tif 000016
【図１５】
2014003510.tif 000017